(57)【特許請求の範囲】
【請求項１】
梁の上面に架け渡して配置する覆工板を前記梁に固定する覆工板の締結装置において、
前記覆工板の下面に突設した係留具と、
一端を前記係留具に締結する固定部を有する前記梁の高さより長い拘束具と、
対向して配置する前記拘束具の解放側を繋いで連結する締付具と、からなり、
前記梁周囲に前記拘束具と前記締付具を配置して、前記覆工板と前記梁とを締結したことを特徴とする、
覆工板の締結装置。
【請求項２】
請求項１に記載の覆工板の締結装置において、
対向して並置する前記覆工板の夫々の端部に配置する拘束具を締付具を介して前記梁に締結したことを特徴とする、
覆工板の締結装置。
【請求項３】
請求項１又は請求項２に記載の覆工板の締結装置において、
前記拘束具の解放側をねじ形に形成して、前記締付具に貫通して突出させ、
前記ねじ形に取り付ける締付けナットの締付力によって、
前記締付具および前記拘束具を介して、前記覆工板と前記梁とを締結したことを特徴とする、
覆工板の締結装置。
【発明の詳細な説明】
【０００１】
【発明の属する技術分野】
本発明は、覆工板の締結装置に関するものである。
【０００２】
【従来の技術】
従来から、鋼製の覆工板ａは地下鉄などを構築するための開削工の上面を塞ぐ目的や、桟橋や仮設橋梁の上床版として使用され、特に車道、歩道または作業路として使用される場合が多い。
この覆工板ａの構成は、一般的に上板と、下板および上板と下板とを連結する縦方向に設けられた補強板やＨ形鋼等から構成されている。
この覆工板ａは、鋼材等により構築された骨組みである梁ｂの上面に複数敷設、または締結して、床版を構成する。
この際に、予め覆工板ａに加工を施したり、または梁ｂに固定するため特殊な形状の締結装置や締付具等の製作および準備が必要になる場合がある。
【０００３】
この覆工板ａの鋼材等への定着方法としては、締結式と落とし込み式等が知られている。
締結式は、たとえば所定の位置に配置した覆工板ａを構成する下板の端部に孔を穿設して、上方に向かって突出するボルトｆを設けるとともに、このボルトｆの頭側に締結クリップｅを配置する（図４参照）。
そして、締結クリップｅを回転して梁ｂの上フランジに掛止し、覆工板ａの上板に設けられた吊り孔ｃを利用してナットを締付けることにより覆工板ａを梁ｂに締結する方法である。
一方、落とし込み式は、覆工板ａ端部の下面に突出するずれ止めｇを設け、ずれ止めｇを骨組みされた梁ｂの間に落とし込むようにして覆工板ａの端部を梁ｂの上面に載置する（図５参照）。この結果、覆工板ａの水平方向への横ずれに対して、ずれ止めｇが梁ｂの側縁部に当たり覆工板ａの横ずれを阻止する。
また、梁ｂと覆工板ａとの合わせ面にはゴム等の緩衝材が配置され、これは縦方向の衝撃の吸収および覆工板ａの横ずれに抵抗する摩擦力を生じるが、横ずれによるずれ止めｇと梁ｂとの接触による衝撃に対しては、ずれ止めｇに孔を設けこの孔に嵌合する突起を有したゴムパッドｈを配置して、梁ｂの側縁部へ直接衝突するのを防止する場合もある。
【０００４】
【発明が解決しようとする課題】
前記した従来の覆工板の締結装置にあっては、次のような問題点がある。
＜イ＞落とし込み式によって覆工板を梁に敷設する場合、走行する重車両等から横方向の外力が加わった時、覆工板が横ずれし、またガタ付きによって騒音が発生する。
＜ロ＞締結クリップを使用する締結式によって覆工板を梁に固定する場合、締付けに覆工板の上面および下面の両方からの作業が必要となり、作業性が悪い。
＜ハ＞上記方法による覆工板の梁への敷設には、予め覆工板への加工や特殊な形状を有する部品の製作が必要となり不経済である。
【０００５】
【発明の目的】
本発明は上記したような従来の問題を解決するためになされたもので、覆工板に横方向の外力が加わったとしても、覆工板の横ずれが少ない、ガタ付きによる騒音が発生しない覆工板の締結装置を提供することを目的とする。
特に、覆工板の梁への据え付けにおいて、作業効率の良い覆工板の締結装置を提供することを目的とする。
また、覆工板の梁への固定において、特殊な形状を有する部品の製作が不必要で、また部品の製作が必要であったとしても低コストでかつ構造が容易である、経済的な覆工板の締結装置を提供することを目的とする。
本発明は、これらの目的の少なくとも一つを達成するものである。
【０００６】
【課題を解決するための手段】
上記のような目的を達成するために、本発明の覆工板の締結装置は、梁の上面に架け渡して配置する覆工板を前記梁に固定する覆工板の締結装置において、前記覆工板の下面に突設した係留具と、一端を前記係留具に締結する固定部を有する前記梁の高さより長い拘束具と、対向して配置する前記拘束具の解放側を繋いで連結する締付具と、からなり、前記梁周囲に前記拘束具と前記締付具を配置して、前記覆工板と前記梁とを締結したことを特徴とする。
【０００７】
前記の覆工板の締結装置において、対向して並置する前記覆工板の夫々の端部に配置する拘束具を締付具を介して前記梁に締結したことを特徴とする。
【０００８】
前記の何れかに記載の覆工板の締結装置において、前記拘束具の解放側をねじ形に形成して、前記締付具に貫通して突出させ、前記ねじ形に取り付ける締付けナットの締付力によって、前記締付具および前記拘束具を介して、前記覆工板と前記梁とを締結したことを特徴とする。
【０００９】
【発明の実施の形態】
以下図面を参照しながら本発明の実施の形態について説明する。
【００１０】
＜イ＞全体の構成（図１参照）
覆工板１の端部下面に係留具３を突出して配置し、係留具３を梁２に落とし込み覆工板１の端部を梁２上面に載置する。このとき、梁２と覆工板１の合わせ面にゴム等の緩衝材を配置してもよい。
覆工板１の端部を梁２に載置したとき、係留具３が梁２の側縁近傍に位置するように覆工板１を配置する。また、係留具３は梁２の両側部にかならずしも配置する必要はなく、片側部のみに配置してもよい。
係留具３から拘束具４を吊下げる。
対向して配置する拘束具４の解放側に締付具５を繋いで連結する。
このとき、締付具５の形状は、一本の梁２の両側部に配置する解放側を繋ぐ形状でも、また並行する２本の梁２に渡って配置する解放側を連続して繋ぐ形状であってもよい。
この結果、梁２の周囲には拘束具４および締付具５が配置して、締付具５の締付力によって梁２は挟持され、覆工板１の横方向および縦方向への覆工板１のずれを防止することができる。
この組合せを梁２の軸方向へ間隔をおいて配置することにより、所定の拘束力を得ることができる。
なお、梁２上面には、覆工板１の端部を載置して隣り合う二枚の覆工板１が配置しても、また一枚の覆工板１が梁２を跨ぐようにして載置することもできる。
【００１１】
＜ロ＞覆工板
覆工板１の構成は、所定の長さのＨ型鋼、溝型鋼等の鋼材より構築される骨組みに、鋼板等を溶接して各覆工板１の面を構成し、一枚の床版とする。この覆工板１を複数並べて配置することで、桟橋、仮設橋梁等の床版を構築する。
覆工板１の下面の端部には、突出する係留具３を配置する。
これは、通常落とし込み式の覆工板１に配置するずれ止めを使用して、この覆工板１をそのまま利用することができる。このとき、ずれ止めに梁２の側縁部への緩衝材であるゴムパッドを係止する孔が穿設されているのが望ましい。
この予めずれ止めを有する覆工板１を本発明の締結装置として用いる場合には、後述する本発明の係留具３を省略することができる。
このほか覆工板１の形態としては、覆工板１の上面端部に円形等の吊り孔が穿設されていても、覆工板１の表面に格子状の凹凸などの滑り止め加工等が施されていてもよく、特に制約を受けない。
【００１２】
＜ハ＞係留具
係留具３は、覆工板１端部の下面に配置する。
係留具３は、覆工板１面に対して略垂直に面を配置する部材で、たとえば、鋼板や山形鋼等を使用することができ、溶接等により覆工板１に固定できる。
この係留具３には、拘束具４を固定する役割がある。
そのため、この係留具３にはたとえばボルトを貫通して拘束具４と締結する孔を穿設し、係留具３の部材の厚み、孔径および孔の端あき寸法等の形態の詳細は、設計計算によって決定することができる。
係留具３および拘束具４の合わせ面に、面剪断力を期待する場合には各部材にブラスト処理等による表面処理を施しても良い。
係留具３には拘束具４から下向きの力が加わるため、その力に抵抗でき得る覆工板１への固定を確保するものとする。
さらに、この係留具３には、万が一、覆工板１の横ずれのずれ止めとしての役割も兼ね備えている。このため、係留具３の覆工板１の固定には、この際の力にも対向でき得る固定力を併せ持つものとする。
また前述した通り、覆工板１の下面に予めずれ止めが設けられている場合には、係留具３を省略してもよく、またこのずれ止めの員数が所定の拘束力に満たない場合には係留部３を付加してもよい。このずれ止めに孔が穿設されていない場合には、所定の位置へ穿孔して係留具３として使用する。
【００１３】
＜ニ＞拘束具
拘束具４は、係留具３に固定する固定部４１と、他端の解放側とから構成する。
拘束具４の解放側は、締付具５に固定し連結する。
拘束具４は、たとえば固定部４１にボルト孔を有する平鋼を、解放側にねじ形を刻設した丸鋼等を配置し、丸鋼の未加工側を平鋼に溶接して形成する。
また、既製のブレス材を使用しても良い。
拘束具４の梁２の高さより長い拘束具４とは、係留具３に拘束具４の一端を配置した際に他端の解放側が梁２の下方へ突出し、かつ締付具５による連結が可能な余長を有する長さをいう。
【００１４】
＜ホ＞締付具
締付具５は、梁２の軸方向に対して略垂直方向の梁２下面に配置する部材である。
締付具５は、覆工板１とともにその間に配置する梁２を、係留具３および拘束具４を介して挟持する。
締付具５の部材長さは、梁２下面に配置した際に梁２の両側部より突出して拘束具４による固定が可能である長さ（締付具５ｓ）とする。
この長さは、並行に隣り合う梁２と兼用して固定できる長さ（締付具５Ｌ）としてもよい。
締付具５には、たとえば山形鋼を使用することができる。山形鋼の一辺に、拘束具４を貫通する孔を設け、この孔に締付具５を貫通し、下側へ突出する端部を締付けナット４３で螺着して固定する。
【００１５】
【実施例】
以下図面を参照しながら、本発明の覆工板の締結装置の実施例について説明する。
【００１６】
＜イ＞覆工板の配置
Ｈ形鋼等の鋼材によって骨組状に構築した梁２の上面に覆工板１を載置してゆく。
このとき、予め覆工板１の下面の端部には係留具３を配置しているものとする。
【００１７】
＜ロ＞締結装置の配置
覆工板１下面に配置する係留具３にボルト等を用いて拘束具４を取り付ける。
このとき、前工程において支障がなければ、予め係留具３に拘束具４を取り付けても良い。これは、たとえば図２に二点鎖線で示すようにボルト等によって拘束具４を覆工板１面に並行に固定し、覆工板１を所定の位置へ載置した後、ボルトの締付力を緩めてボルトを支点に回転するだけで、拘束具４を任意の角度に締付けるという方法でこのようにすることもできる。
拘束具４を所定の位置へ配置した後、拘束具４のねじ形４２部を締付具５に貫通する。
ねじ形４２部を貫通させた後、締付けナット４３を螺着してスパナやレンチ等の簡単な工具で締付け、拘束する。
【００１８】
＜ハ＞締付けによる梁への固定
さらに、締付けナット４３を締付けると、締付具５の弾性力により一層梁２を拘束することができる。
この締付けナット４３には、振動等によるナットの緩みを防止する為、ナットを２重に重ねる等して用いても良い。
【００１９】
【発明の効果】
本発明の覆工板の締結装置は以上説明したようになるから次のような効果を得ることができる。
＜イ＞本発明は、覆工板に配置した係留具、係留具に締結して梁の側面に配置する拘束具、および係留具に連結して梁の下面に配置する締付具とから構成し、覆工板を梁に締結する。
この結果、梁は覆工板と締付具等によって挟持され、覆工板に外力が加わったとしても、横方向および上下方向へのずれによる騒音の発生を防止することができる。
＜ロ＞本発明の覆工板の締結装置は、すべて覆工板の下面に配置しているため、梁への締結に際して一方からの作業のみで済む為、作業効率が良く施工性に優れている。
＜ハ＞本発明は、特殊な形態の部品を必要とせず、一般的に市場に流通する鋼材に簡易な加工を行なうのみで構成でき、かつ単純な機構からなるため、安価で準備することができ経済的である。
また、従来の落とし込み式の覆工板を用いることによって、覆工板への加工が不要となり経済的である。
さらに、本発明の締結装置を仮設工事等で使用し、部品が破損したとしても一般に流通している部品を使用している為、転用する際に代替の準備が非常に容易である。また、別の工事に転用する際に梁のサイズが変更したとしても容易に準備することができる。
本発明による覆工板の梁への締結には、ボルトやレンチ等の簡単な工具で締付けることができるため、効率的である。
【図面の簡単な説明】
【図１】本発明の覆工板の締結装置の配置説明図。
【図２】本発明の覆工板の締結装置の配置説明図。
【図３】本発明の覆工板の締結装置の斜視図。
【図４】従来の覆工板の締結装置（締結式）の断面詳細図。
【図５】従来の覆工板の締結装置（落とし込み式）の断面詳細図。
【符号の説明】
１・・・覆工板
２・・・梁
３・・・係留具
４・・・拘束具
４１・・固定部
４２・・ねじ形
４３・・締付けナット
５・・・締付具
【図１】
0003957500.tif 000002
【図２】
0003957500.tif 000003
【図３】
0003957500.tif 000004
【図４】
0003957500.tif 000005
【図５】
0003957500.tif 000006